(57)【要約】 【課題】  取りそこねた糞で排泄場所をさらに汚すことや、直接糞を受け取る道具の受け入れ口、及び糞を入れる袋やその留め具などを汚してしまうことがあり、さらにその袋に直接手を触れないと取り外しができないことなどの課題があった。【解決手段】  汚れを防止できる構造を持つ、枠体状の保持枠に持ち手を設け、その保持枠に専用の袋が簡単に取り付け、取り外しが出来るように、回動自在の押さえ具及び、押さえ具を固定する固定具で構成されたものである。【選択図】  図１
2013005767.tif 000002
【特許請求の範囲】
【請求項１】
糞集取袋の開口縁を開口状態に保持する枠体状の保持枠と、糞集取袋の開口縁を、前記保持枠に挟んで止める押さえ具と、押さえ具を挟止状態で保持枠に固定する固定具とを備えた、糞取り具。
【請求項２】
前記、保持枠に円形状の底の外周から上方に向け、枠となる筒を設け、前記底の直径よりも短い直径で形成された穴を前記底に設ける。さらに前記底の内周から下方に向け、挟止状態を可能とする筒を備えた事を特徴とする、請求項1に記載の糞取り具。
【請求項３】
前記、保持枠に連結された、持ち柄を備えた事を特徴とする、請求項1又は請求項2に記載の糞取り具。
【請求項４】
前記、持ち柄に回動軸を設け、挟止部を設けた回動自在の甲押さえ具及び乙押さえ具を、前記回動軸にそれぞれ備えた事を特徴とする、請求項1ないし請求項3のいずれかに記載の糞取り具。
【請求項５】
前記、持ち柄の両側面に溝を設け、前記甲押さえ具及び前記乙押さえ具の固定及び固定解除をさせる、固定具の両端を前記溝にそれぞれ設けた事を特徴とする、請求項1ないし請求項4のいずれかに記載の糞取り具。
【請求項６】
前記、甲押さえ具と前記持ち柄、及び前記乙押さえ具と前記持ち柄に、それぞれ弾性体を備えた事を特徴とする、請求項1ないし請求項5のいずれかに記載の糞取り具。
【請求項７】
請求項1ないし請求項6のいずれかの糞取り具に使用される、糞集取袋であって、上方が開口した不透水性の外袋と、上方が開口し、袋底から袋縁までの長さが前記、外袋よりも短く形成され、前記外袋の内側に袋底を合わせて収納された、紙製の内袋で構成され、前記外袋の開口縁から袋底に向う、前記内袋の開口縁を過ぎた位置まで切り込みを設け、さらに前記外袋の開口縁から袋底に向う一定の位置で、開口縁と並行になるように、前記外袋及び前記内袋が、同時に外側に折り返された事を特徴とする糞集取袋。
【発明の詳細な説明】
【技術分野】
【０００１】
この発明は、ペットの糞を取るための道具に関するものである。
【背景技術】
【０００２】
従来、犬などのペットの散歩時に排泄された糞は、ペーパーや、専用の袋や、はさみ取る道具などで直接つかみ取るか、或いはヘラ状の道具ですくい取るなどの方法があった。しかし、排泄された糞を取る場合、排泄された場所が砂地や地面などで障害物がない場所では、十分に気を付ければ従来のペーパーや専用の袋や、はさみ取る道具などでも糞を取り除くことができたが、植え込みや、草むらでは地面に落ちた枯れ枝や長めの草などが障害物になり、従来の方法では、糞のみをつかみ出すことができず、取りそこねた糞が散乱し、草木に付着するなど、かえってその場所を汚してしまうことが多々あった。当然このような場所では、ヘラですくい取ることができず、まったく機能しないものであると言える。そこで、糞を排泄場所に落とす前に、直接受け取れる道具があった。
【０００３】
しかし、糞を受け取る道具の枠や、糞を入れる袋や袋の留め具などが糞で汚れることが多々あり、袋の取り外しに直接手を触れないと交換できないものがほとんどで、交換するのにたいへん抵抗があるものであった。またその道具を清潔に保つのに、拭き取るだけでは十分に取り去ることができず、水洗いするにはブラシなどの、掃除道具が必要になるが、結局その掃除道具や周辺も汚すことにつながるなど、たいへん苦労するものであった。
【先行技術文献】
【特許文献】
【０００４】
【特許文献１】特開平11-285328
【特許文献２】特開2002-223656
【発明の概要】
【発明が解決しようとする課題】
【０００５】
解決しようとする課題は、取りそこねた糞で排泄場所をさらに汚すことや、直接糞を受け取る道具の受け入れ口、及び糞を入れる袋やその留め具などを汚してしまうことがあり、さらにその袋の取り外しに直接手を触れないと取り外しができないなどの課題があった。
【課題を解決するための手段】
【０００６】
その解決方法は、直接糞を受け入れる専用の袋を使うことで、本発明の保持枠を汚さずに使用でき、また保持枠の構造により、袋の留め具なども全く汚さずに使用できるものである。しかも直接手を触れずに専用の袋をワンタッチで取り外すことができるように工夫された固定具で構成された糞取り具により解決されるものである。
図面を追いながらその解決手段を説明すれば、
（イ）保持枠Aは図1及び図11に示す構造になっており、専用の糞集取袋を取り付けることで保持枠A及び甲押さえ具Km及び乙押さえ具Khが汚れることを避けることができる構造になっているものである。
（ロ）図1及び図2に示すように、グリップBgを備えた、持ち柄Bを設ける。本発明では図3及び図4及び図5に示すように保持枠Aと持ち柄Bを連結具ABで連結する構造になっているが、連結具ABを備えずに保持枠Aと持ち柄Bを直接、連結させることもでき、また持ち柄Bの長さも自由に変えることができるものである。
（ハ）専用の糞集取袋を固定させるために、図4に示すように、持ち柄Bの底面に設けられた、回動軸である甲軸jm及び乙軸jhに甲押さえ具Km及び乙押さえ具Khを、それぞれ設ける。図5に示すように、この甲押さえ具Km及び乙押さえ具Khの挟止部Kdが甲軸jm及び乙軸jhを中心として、外側にそれぞれ動かせるようになっており、甲押さえ具Km及び乙押さえ具Khの後端KfがストッパーKsの位置までくると、ストッパーKsに接触して止まるようになっている。したがって甲押さえ具Km及び乙押さえ具Khは一定の範囲で回動させることができ、糞集取袋の取り付け及び、取り外しが自在にできるものである。
（ニ）持ち柄Bの右側面及び左側面に溝mzをそれぞれ設けているが、これは図1及び図2に示すように、固定具Krを設けるための溝であり、図1に示すように、固定具Krの片端部が持ち柄Bの片側面の溝mzに設けてあり、甲押さえ具Km及び乙押さえ具Khを抱え込むように底面部を通り、固定具Krの逆端部が持ち柄Bの逆側面の溝mzに設けてある。このように溝mzの長さが固定具Krの幅よりも長いため固定具Krを前後にスライドさせられるものである。
（ホ）図12に示すように、甲押さえ具Km及び乙押さえ具Khにバネspの片端がそれぞれ設けられ、バネspの逆端が、持ち柄Bにそれぞれ設けてある。これにより、図4に示すように、固定具Krの位置が連結具AB側の場合は、甲押さえ具Km及び乙押さえ具Khが固定具Krで固定された状態になる。しかし図5に示すように固定具Krの位置がグリップBg側にある場合は、甲押さえ具Km及び乙押さえ具Khが固定具Krから開放され、それぞれのスプリングspにより、甲押さえ具Km及び乙押さえ具Khの挟止部分Kdが外側へ自然と回動する構造になっている。
（ヘ）以上のように構成された、糞取り具に、図6に示すような、外側が不透水袋Cbでその中に紙袋Ckが収まった糞集取袋で、開口縁から袋底方向に二ヶ所の切り込みkkを返折位置y付近まで作っておく。
（ト）図7に示すように、糞集取袋の開口縁の上位が紙袋Ckになるように、返折位置yの位置から紙袋Ck及び不透水袋Cbを同時に外側へ折り返す。
（チ）図8に示すように、糞集取袋の側面を内側に適度に折り曲げ、保持枠Aの中央の穴に入れやすくしておく。また折り曲げられることで空間pができ、保持枠Aの上方が空間pに接合しやすくなり、糞集取袋を簡単に取り付けられるように工夫されたものである。
（リ）糞集取袋の取り付けかたは、図5に示すように、甲押さえ具Km及び乙押さえ具Khが開放されていているときに、糞集取袋を保持枠Aの中央の穴に差し込み、図9及び図13に示すように、糞集取袋の折り返し部分が、糞集取袋すべり防止壁Asと甲押さえ具Km及び乙押さえ具Khの間にくるように配置し、さらに連結具ABに、切り込みkkが合うように取り付ける。したがって糞集取袋の折り返し部分の切り込みkkが連結具ABを避けながら、糞集取袋すべり防止壁As方向へ移動していく。さらに二ヶ所の切り込みkkからなる切遊部ktが図10に示すように連結具ABを覆い、汚れを防ぐものである。さらに糞集取袋の折り返しを大きくとることで切遊部ktを長くとることができ、また切り込みkkの間隔を大きくとることで幅の広い切遊部ktを備えることができるので、さらに連結部分を汚れから、大きく保護できるものである。
（ヌ）折り返された不透水袋Cbの先端部分が図13に示す位置まできたら、固定具Krを連結具AB側へスライドさせ、図14に示すように糞集取袋すべり防止壁Asと、甲押さえ具Km及び乙押さえ具Khで挟まれた状態になり、糞集取袋を固定させることができる。
（ル）図10に示すように、糞集取袋を固定させた状態で、ペットのお尻付近に持って行き、糞集取袋内に直接糞を受け取るものであるが、この場合、糞集取袋の上部の渕Afの部分や側面Ayに糞があたり、紙袋Ckが汚れることがあるが、糞集取袋が保持枠Aを包み込んでいる状態なので、保持枠Aが汚れることが全くなく、また甲押さえ具Km及び乙押さえ具Khも保持枠Aの裏面側にあり、上方から見て保持枠Aにかくれた内側の位置にあるため、全く汚れることがないものである。糞集取袋に糞が適度にたまったら、図5に示すように固定具KrをグリップBg側へ、スライドさせることで、甲押さえ具Km及び乙押さえ具Khが開放され、それぞれのスプリングspにより、挟止部Kdが外方向へ回動する。したがって固定解除された糞集取袋は糞の重みで、折り返し部分が元の図6に示す状態に戻りながら自然と外れ落ちる。したがって、汚れた部分の紙袋Ckが不透水袋Cbの元の内側に収まり、衛生的な状態で持ち帰れるものである。よって糞集取袋を交換する場合は手提げ袋などを開いておき、その中で糞集取袋を固定解除すれば、紙袋Ckの汚れた部分に全く手を触れずに、手提げ袋などに回収できるものである。尚本発明の保持枠Aと甲押さえ具Km及び乙押さえ具Khの挟止部Kdが円形状になっているが、糞集取袋が固定及び固定解除できる機能を維持できる形状であるならば、保持枠Aと甲押さえ具Km及び乙押さえ具Khの形状及び大きさを変えることができるものである。
【発明の効果】
【０００７】
したがって糞を排泄場所に落とす前に取ることができるので排泄場所の障害物の有無に関係なく完全集取でき、また糞取り具の保持枠や糞集取袋の押さえ具が汚れることがないので煩わしい清掃も必要なく、しかも糞集取袋に手を全く触れずに、簡単に取り外しができるので、いつでもどこでも衛生的に持ち帰ることができるものであり、持ち帰った糞集取袋は内側の紙袋のみをトイレに流すことで完全処理ができる、たいへん重宝なものであると言える。
【図面の簡単な説明】
【０００８】
【図１】本発明の斜視図
【図２】本発明の固定具の一部をカットした状態の側面図
【図３】本発明の押さえ具を明らかにするために保持枠を取り外した状態の斜視図
【図４】本発明の押さえ具が固定された場合の底面図
【図５】本発明の押さえ具が固定解除された場合の底面図
【図６】糞集取袋の斜視図
【図７】糞集取袋の斜視図
【図８】糞集取袋の斜視図
【図９】本発明と糞集取袋の部分斜視図
【図１０】本発明に糞集取袋を取り付けた場合の斜視図
【図１１】本発明の保持枠の部分側面図
【図１２】本発明の乙押さえ具の部分斜視図
【図１３】本発明の両押さえ具が固定解除された場合の正面図
【図１４】本発明の両押さえ具が固定された場合の正面図
【符号の説明】
【０００９】
Aは保持枠
Asは糞集取袋すべり防止壁
Afは渕
Ayは側面
Bは持ち柄
Bgはグリップ
ABは連結具
Kmは甲押さえ具
Khは乙押さえ具
Kdは挟止部
Kfは後端
Krは固定具
Ksはストッパー
mzは溝
jmは甲軸
jhは乙軸
Cbは不透水袋
Ckは紙袋
kkは切り込み
ktは切遊部
spはスプリング
yは返折位置
pは空間
【図１】
2013005767.tif 000003
【図２】
2013005767.tif 000004
【図３】
2013005767.tif 000005
【図４】
2013005767.tif 000006
【図５】
2013005767.tif 000007
【図６】
2013005767.tif 000008
【図７】
2013005767.tif 000009
【図８】
2013005767.tif 000010
【図９】
2013005767.tif 000011
【図１０】
2013005767.tif 000012
【図１１】
2013005767.tif 000013
【図１２】
2013005767.tif 000014
【図１３】
2013005767.tif 000015
【図１４】
2013005767.tif 000016